(57)【要約】【課題】  本発明はゴルフクラブセットに係り、打球の良好な方向性を確保しつつ、セット内でのスイングの安定化を図り、飛距離の向上を図ったゴルフクラブセットを提供することを目的とする。【解決手段】  ロフト角１４°〜２８°の複数本のウッド型の中空ヘッドを備えたゴルフクラブを含むゴルフクラブセットに於て、ロフト角１４°〜２８°の前記ゴルフクラブのヘッドに形成されたフェースバルジのバルジ半径を、ヘッドのロフト角が増加するに従い大きくすると共に、ロフト角１４°〜２８°の前記ゴルフクラブのヘッドの慣性モーメントを略同一としたことを特徴とする。【選択図】    図１
2012200324.tif 000002
【特許請求の範囲】
【請求項１】
ロフト角１４°〜２８°の複数本のウッド型の中空ヘッドを備えたゴルフクラブを含むゴルフクラブセットに於て、
ロフト角１４°〜２８°の前記ゴルフクラブのヘッドに形成されたフェースバルジのバルジ半径を、ヘッドのロフト角が増加するに従い大きくすると共に、ロフト角１４°〜２８°の前記ゴルフクラブのヘッドの慣性モーメントを略同一としたことを特徴とするゴルフクラブセット。
【請求項２】
ロフト角１４°〜２８°の前記ゴルフクラブのヘッドに形成されたフェースロールのロール半径を、ヘッドのロフト角が増加するに従い大きくしたことを特徴とする請求項１に記載のゴルフクラブセット。
【発明の詳細な説明】
【技術分野】
【０００１】
本発明はゴルフクラブセットに係り、詳しくはセット中にロフト角１４°〜２８°のヘッドを有する複数本のウッド型のゴルフクラブを含むゴルフクラブセットに関する。
【背景技術】
【０００２】
従来、ゴルフクラブセットには、複数本のウッドクラブからなるウッドセット、複数本のアイアンクラブからなるアイアンセット、そして、これら両方のセットを合わせたフルセットがある。
【０００３】
また、昨今、ウッドクラブとアイアンクラブの中間的なロフト角１４°〜２８°のウッド型の中空ヘッドを備えたユーティリティゴルフクラブが提案されている。このユーティリティゴルフクラブは、単品として市販されることは勿論、シャフト長やロフト角を変えた複数本のセットとして、更には、これらの複数本をセット内に組み込んだゴルフクラブセットも市販されている。
【０００４】
ところで、従来、この種のゴルフクラブセットに於て、ウッド型のゴルフクラブのヘッドのフェースには、特許文献１に開示されるようにサイドスピンを利用して打球の方向を改善するフェースバルジ（以下、「バルジ」という）が設けられている。
【０００５】
即ち、ウッド型のゴルフクラブは、ヘッドの重心からフェースに引いた垂線の交点であるスイートスポットよりもトゥ側でボールを打球すると、ヘッドは重心を中心に時計回りに回転するため、フェースで打球されたボールには、時計回りに回転するヘッドのギヤ効果によって反時計回りのフック回転のサイドスピンが生じる。
【０００６】
また、スイートスポットよりもヒール側でボールを打球すると、ヘッドは重心を中心に反時計回りに回転するため、打球されるボールには、反時計回りに回転するヘッドのギヤ効果によって時計回りのスライス回転のサイドスピンが生じる。
【０００７】
このため、ヘッドのフェースが平面であると、ボールは目標打球線方向と略平行に打ち出された後、ギヤ効果によるサイドスピンによって目標打球線方向に対し大きく左右にそれてしまう。
【０００８】
しかし、図７に示すようにヘッド１のフェース３に、ヘッド１の前方に向かって滑らかな凸となる曲面形状のバルジが設けられていると、スイートスポットＳＳよりもトゥ側でボールＢを打球した場合、ボールＢはバルジによって目標打球線方向Ｘに対し振れ角θで右方向に打ち出された後、フック回転のサイドスピンＳＰによって目標打球線方向Ｘへ曲がり（図７中、打球線方向Ｙ）、目標打球線方向Ｘに戻ることとなる。
【０００９】
また、図示しないが、逆にスイートスポットよりもヒール側でボールを打球すると、ボールはバルジによって目標打球線方向に対し左方向に振れ角を以って打ち出された後、スライス回転のサイドスピンによって目標打球線方向へ曲がり、目標打球線方向に戻ることとなる。
【００１０】
このようにバルジは、ヘッドのギヤ効果によって生ずるサイドスピンを利用して打球の方向性を改善している。
【先行技術文献】
【特許文献】
【００１１】
【特許文献１】特開２００６−１８１２１２号公報
【発明の概要】
【発明が解決しようとする課題】
【００１２】
ところで、従来、例えばロフト角１４°〜２８°のヘッドを有する複数本のウッド型のゴルフクラブは、フェースのバルジ半径が同一の曲率半径で形成されている場合が多い。
【００１３】
このため、これらのゴルフクラブで、例えば図７の如くスイートスポットＳＳよりもトゥ側でボールＢを打球すると、番手が下がってロフト角が大きくなるに従い、ボールＢがフェース３に対し斜め衝突となって、ボールＢにかかるバックスピンが増加していく。
【００１４】
この結果、番手が上がるに従い、バックスピンがヘッドのギヤ効果によるサイドスピンに影響してボールの打球方向の修正が上手く行かなくなり、図７に示すようにボールＢが目標打球線方向Ｘへ十分に曲がらずに打球線方向Ｚへ飛んでしまう不具合があった。
【００１５】
また、一般に番手が下がるに従いヘッドの容量が小さくなり、ヘッドの慣性モーメントが小さくなってボールの打球時にヘッドが重心を中心に時計回り／反時計回りに回転し易くなる。
【００１６】
このため、番手が下がるに従いボールが目標打球線方向へ十分に曲がらなくなることもあって、ゴルファーはボールが目標打球線方向へ飛ぶように、慣性モーメントが異なりクラブ全長が異なるこれらのゴルフクラブを番手毎にスイングを変えて（クラブコントロールを変えて）打球しているのが実情で、ゴルフクラブ間でスイングの安定が図れず、安定した打球が打ち難い欠点があった。
【００１７】
更に、ロフト角１４°〜２８°を有するこれらの複数本のウッド型のゴルフクラブは、ヘッドのフェースに設けられたフェースロール（ヘッドの前方に向かってフェースが滑らかに凸となるヘッドの上下方向の曲面）のロール半径が同一の曲率半径で形成されている。
【００１８】
すると、番手が下がってロフト角が大きくなるに従い、打球時にボールがフェースに沿って上方へ滑り、この結果、バックスピンのかかったボールが高く舞い上がって飛距離が伸びなくなる欠点も指摘されている。
【００１９】
本発明は斯かる実情に鑑み案出されたもので、打球の良好な方向性を確保しつつ、セット内でのスイングの安定化を図り、飛距離の向上を図ったゴルフクラブセットを提供することを目的とする。
【課題を解決するための手段】
【００２０】
斯かる目的を達成するため、本発明は、ロフト角１４°〜２８°の複数本のウッド型の中空ヘッドを備えたゴルフクラブを含むゴルフクラブセットに於て、ロフト角１４°〜２８°の前記ゴルフクラブのヘッドに形成されたフェースバルジのバルジ半径を、ヘッドのロフト角が増加するに従い大きくすると共に、ロフト角１４°〜２８°の前記ゴルフクラブのヘッドの慣性モーメントを略同一としたことを特徴とする。
【発明の効果】
【００２１】
本発明によれば、ロフト角１４°〜２８°のゴルフクラブのヘッドに形成されたフェースバルジのバルジ半径を、ヘッドのロフト角が増加するに従い大きくしたことで、番手が下がるに従いフェース部のバルジ半径が大きくなってトゥ・ヒール方向の曲面がフラットな形状になる。
【００２２】
このため、番手毎のバルジ半径が同一とされた従来に比し、番手が下がるに従い目標打球線方向に対する振れ角が順次小さくなって、ボールが目標打球線方向に近づいた打球線方向へ飛び、この後、少ないながらも生じるサイドスピンによってボールは目標打球線方向Ｘへ曲がり、目標打球線方向に戻ることとなる。
【００２３】
このように、番手が下がるに従いフェース部のバルジ半径を大きくすることで、ロフト角が増加することによるサイドスピンの影響に沿ったバルジ半径となり、この結果、打点がトゥ・ヒール側にずれても方向性のよいゴルフクラブセットとなった。
【００２４】
而も、ロフト角１４°〜２８°のゴルフクラブの総てのヘッドの慣性モーメントを略同一としたため、これらのクラブコントロールが異なることがない。
【００２５】
従って、ゴルファーはこれらのゴルフクラブを番手毎にスイングを変えて打球する必要がなくなり、スイングの安定が図れる利点を有する。
【図面の簡単な説明】
【００２６】
【図１】本発明の一実施形態に係るゴルフクラブセットに含まれる４本のユーティリティゴルフクラブのヘッドの側面図である。
【図２】図１に示すヘッドのバルジ半径やロール半径等の数値を示す説明図である。
【図３】図１に示すヘッドの断面図である。
【図４】ユーティリティゴルフクラブのヘッドの正面図である。
【図５】ユーティリティゴルフクラブのヘッドの側面図である。
【図６】図４のXI−XI線端面図である。
【図７】バルジによる打球の方向性を説明する説明図である。
【発明を実施するための形態】
【００２７】
以下、本発明の実施形態を図面に基づいて詳細に説明する。
【００２８】
図１(a)、(b)、(c)、(d)は、夫々、図２に示すようにロフト角１８°、２１°、２４°、２７°を有する４本のユーティリティゴルフクラブＵ＃１８、Ｕ＃２１、Ｕ＃２４、Ｕ＃２７のヘッド５、７、９、１１の側面図、図３(a)、(b)、(c)、(d)はユーティリティゴルフクラブＵ＃１８、Ｕ＃２１、Ｕ＃２４、Ｕ＃２７のヘッド５、７、９、１１の断面図を示し、本実施形態に係るゴルフクラブセットは、これらの４本のユーティリティゴルフクラブＵ＃１８、Ｕ＃２１、Ｕ＃２４、Ｕ＃２７を始め、ロフト角１４°〜２８°の複数本のウッド型の中空ヘッドを備えたゴルフクラブを含むゴルフクラブセットである。
【００２９】
図４乃至図６は図１(b)のユーティリティゴルフクラブＵ＃２１のヘッド７を示し、以下、ヘッド７を中心に本実施形態を説明するが、その他のヘッド５、９、１１も当該ヘッド７と略同一の構成である。
【００３０】
図４乃至図６に於て、１３はフェース部１５やソール部１７、サイド部１９がステンレス合金等で一体に鋳造されたヘッド本体で、ヘッド本体１３の上部に形成された図示しない開口部に、別途製造されたクラウン部２１が固着されてウッド型の中空外殻体構造のヘッド７が形成されている。尚、ヘッド本体のフェース部に開口部を形成し、当該開口部にフェース部材を固着してヘッドを構成してもよい。
【００３１】
図６に示すようにヘッド本体１３のヒール側内周には、サイド部１９に沿って上下方向にシャフト止着孔２３が貫通する筒状のシャフト止着部２５が設けられており、図４に示すようにシャフト止着部２５はヘッド本体１５の上方へ突出してホーゼル部２７を形成している。そして、ホーゼル部２７のシャフト止着孔２５からソール部１７に亘り、樹脂製のソケット２９を介して繊維強化樹脂製のシャフト３１が挿着されている。
【００３２】
図２はユーティリティゴルフクラブＵ＃１８、Ｕ＃２１、Ｕ＃２４、Ｕ＃２７のヘッド５、７、９、１１の、
１．ロフト角（度）
２．バルジ半径（ｍｍ）
３．ロール半径（ｍｍ）
４．慣性モーメント（ｇ・ｃｍ2）
５．ヘッドの重量（ｇ）
６．ヘッドの容積（ｃｃ）
７．重心高さ（ｍｍ）
の詳細を示している。
【００３３】
(1)ロフト角とは、図５の如くシャフト軸線Ｓを基準としたフェース部１５の上向きの角度αをいい、図２に示すように本実施形態は、従来と同様、ユーティリティゴルフクラブＵ＃１８からユーティリティゴルフクラブＵ＃２７へと番手が下がるに従い、ヘッド５、７、９、１１のロフト角が大きく設定されている。
【００３４】
(2)バルジ半径とは、図３(b)に示すようにヘッド７のフェース部１５に形成されたバルジの曲率半径Ｒｘをいい、図２に示すように本実施形態は、ユーティリティゴルフクラブＵ＃１８からユーティリティゴルフクラブＵ＃２７へと番手が下がるに従い、ヘッド５、７、９、１１のフェース部３３、１５、３５、３７のバルジ半径を大きくしたことを特徴とする。
【００３５】
従って、図３に示すようにヘッド５、７、９、１１は、番手が下がるに従いフェース部３３、１５、３５、３７がトゥ・ヒール方向にフラットな形状となっている。
【００３６】
(3)ロール半径とは、図１(b)に示すようにヘッド７のフェース部１５に設けられたフェースロールの曲率半径Ｒｙをいい、図２に示すように本実施形態は、ユーティリティゴルフクラブＵ＃１８からユーティリティゴルフクラブＵ＃２７へと番手が下がるに従い、ヘッド５、７、９、１１のフェース部３３、１５、３５、３７のロール半径を大きくしたことを特徴とする。
【００３７】
従って、図１に示すようにヘッド５、７、９、１１は、番手が下がるに従いフェース部３３、１５、３５、３７が上下方向にフラットな形状となっている。
【００３８】
(4)慣性モーメントとは、スイートスポットを外れてボールを打球した際に、どれだけ許容範囲が広いかを示す数値で、大きくて重い物体は慣性モーメントが大きいため回転し難く、小さくて軽い物体は慣性モーメントが小さいため回転し易い。
【００３９】
ゴルフクラブでスイートスポットを外れてボールを打球すると、ヘッドの重心を通る垂直軸回りにヘッドを回転させようとする力が働く。このとき、慣性モーメントが大きいヘッドであればヘッドは回転し難いため回転は少しですみ、反対に慣性モーメントが小さいヘッドであればヘッドは回転し易いため大きく回転する。
【００４０】
そして、従来、番手が下がるに従いヘッドの容量が小さくなり、ヘッドの慣性モーメントが小さくなっていた。そこで、図２に示すように本実施形態は、ユーティリティゴルフクラブＵ＃１８からユーティリティゴルフクラブＵ＃２７に亘ってヘッド５、７、９、１１の慣性モーメントを略同一としたことを特徴とする。尚、本実施形態に於て「略同一」とは、図２に示すように±２００または１０％（ｇ・ｃｍ2）の範囲を含む。
【００４１】
而して、斯様にヘッド５、７、９、１１の慣性モーメントを略同一とするため、本実施形態は、図３及び図６に示すようにヘッド５、７、９、１１内に設けるウエイト部材Ｗ１〜Ｗ８の位置や重量、個数を代え、また、後述するようにヘッド５、７、９、１１の容積を調整し、更にはホーゼル長の長さを調整してヘッド５、７、９、１１の慣性モーメントを略同一としている。
【００４２】
(5)重量とはヘッドの重量をいう。図２に示すように本実施形態は、ヘッド５の重量をヘッド７の重量（２３５ｇ）に比し−２．５〜−８．５ｇとすると共に、ヘッド９の重量をヘッド７に比し＋２．５〜＋８．５ｇとし、更に、ヘッド１１の重量をヘッド９に比し＋２．５〜＋８．５ｇとして、番手が下がるに従い重量を増加させている。
【００４３】
この重量調整は、既述したようにヘッド５、７、９、１１内に設けるウエイト部材Ｗ１〜Ｗ８の位置や重量、個数の調整、ホーゼル長の長さ調整等によって行われており、これらの重量調整がヘッド５、７、９、１１の慣性モーメントを略同一とする一因となっている。
【００４４】
(6)容積とはヘッドの容積をいう。ヘッドは大きさを表すのに複雑な形状で計算し難いため、水の体積が１ｃｃ＝１ｍｍ3であることを利用してヘッドの大きさを表している。そして、図２に示すように本実施形態は、ヘッド５の容積をヘッド７の容積（１２６ｃｃ）に比し＋３〜＋５ｇとすると共に、ヘッド９の容積をヘッド７に比し−３〜−５ｇとし、更に、ヘッド１１の容積をヘッド９に比し−３〜−５ｇとしている。
【００４５】
(7)重量深さとは、図５に示すようにヘッド７の重心Ｇからフェース部１５に引いた垂線の長さＡをいい、図２に示すように本実施形態は、ユーティリティゴルフクラブＵ＃１８からユーティリティゴルフクラブＵ＃２７へと番手が下がるに従い、各ヘッド５、７、９、１１の重量深さを小さくしている。
【００４６】
そして、本実施形態は、更に、以下に記載する(8)〜(12)の特徴を有している。
【００４７】
(8)ユーティリティゴルフクラブＵ＃１８からユーティリティゴルフクラブＵ＃２７へと番手が下がるに従い、ヘッド５、７、９、１１のヘッド幅を小さくしている。
【００４８】
ヘッド幅とは、図５に示すようにヘッド７のリーディングエッジＥの最先端からヘッド７の最後端までの長さＣをいう。
【００４９】
(9)ユーティリティゴルフクラブＵ＃１８からユーティリティゴルフクラブＵ＃２７へと番手が下がるに従い、ヘッド５、７、９、１１のヘッド長さを小さくしている。
【００５０】
ヘッド長さとは、図４に示すようにヘッド７のトゥ・ヒール方向の長さＤをいう。ヘッドのトゥ・ヒール方向の長さは、ライ角６０°でフェースをスクェアに合わせて設置した状態で、トゥ側の起点をソール面から垂直に０．４７５インチに該当する箇所とし、ヒール側はソール面に垂直な面とぶつかる箇所として測る。
【００５１】
(10)ユーティリティゴルフクラブＵ＃１８からユーティリティゴルフクラブＵ＃２７へと番手が下がるに従い、ヘッド５、７、９、１１のフェースプログレッション（ＦＰ）を順次小さくしている。
【００５２】
フェースプログレッションとは、図５に示すようにシャフト軸線Ｓに対するリーディングエッジＥの突出量をいい、本実施形態は、ユーティリティゴルフクラブＵ＃１８からユーティリティゴルフクラブＵ＃２７へと番手が下がるに従い、ヘッド５、７、９、１１のフェースプログレッションを小さくしている。
【００５３】
(11)ユーティリティゴルフクラブＵ＃１８からユーティリティゴルフクラブＵ＃２７へと番手が下がるに従い、ヘッド５、７、９、１１のホーゼル長を大きくしている。
【００５４】
ホーゼル長とは、図４に示すようにシャフト軸線Ｓのソール部１７との交点からホーゼル部２７の先端までの長さＦをいい、ホーゼル長の長さ調整によって、本実施形態の目的とするヘッド５、７、９、１１の慣性モーメントの均一化が図り易い。
【００５５】
(12)ユーティリティゴルフクラブＵ＃１８からユーティリティゴルフクラブＵ＃２７へと番手が下がるに従い、ヘッド５、７、９、１１のフェース高さを大きくしている。
【００５６】
フェース高さとは、図５に示すようにヘッド５のフェース部１５中央のリーディングエッジＥからトップエッジＴまでの高さＨをいう。
【００５７】
本実施形態に係るユーティリティゴルフクラブＵ＃１８、Ｕ＃２１、Ｕ＃２４、Ｕ＃２７はこのように構成されており、これらのユーティリティゴルフクラブＵ＃１８、Ｕ＃２１、Ｕ＃２４、Ｕ＃２７を用いてボールＢを打球すると、構造上、以下の如き作用効果[1]〜[9]を奏する。
【００５８】
[1]例えば、図７に示すようにスイートスポットＳＳよりもヘッド５、７、９、１１のトゥ側でボールＢを打球したとき、既述したように番手が下がるに従いロフト角が大きくなってボールＢにかかるバックスピンが増加し、このバックスピンがヘッド５、７、９、１１のギヤ効果によるサイドスピンに影響する。
【００５９】
しかし、本実施形態に係るユーティリティゴルフクラブＵ＃１８、Ｕ＃２１、Ｕ＃２４、Ｕ＃２７のヘッド５、７、９、１１は、番手が下がるに従いフェース部３３、１５、３５、３７のバルジ半径が大きくなってトゥ・ヒール方向の曲面がフラットな形状になっている。
このため、番手毎のバルジ半径が同一とされた従来構造に比し、番手が下がるに従い、図７の如く目標打球線方向Ｘに対する振れ角θ１が順次小さくなって、ボールＢが目標打球線方向Ｘに近づいた打球線方向Ｚ１へ飛び、この後、少ないながらも生じるサイドスピンによってボールＢは目標打球線方向Ｘへ曲がり、目標打球線方向Ｘに戻ることとなる。
【００６０】
このように、番手が下がるに従いフェース部３３、１５、３５、３７のバルジ半径を大きくすることで、ロフト角が増加することによるサイドスピンの影響に沿ったバルジ半径となり、この結果、本実施形態によれば、打点がトゥ・ヒール側にずれても方向性のよいゴルフクラブセットとなった。
【００６１】
[2]而も、番手が下がるに従いヘッド５、７、９、１１の重量を重くし、更に、番手が下がるに従いホーゼル長を長くして総てのヘッド５、７、９、１１の慣性モーメントを略同一としたため、ユーティリティゴルフクラブＵ＃１８、Ｕ＃２１、Ｕ＃２４、Ｕ＃２７のクラブコントロールが異なることがない。従って、ゴルファーはこれらのゴルフクラブを番手毎にスイングを変えて打球する必要がなくなり、ユーティリティゴルフクラブＵ＃１８、Ｕ＃２１、Ｕ＃２４、Ｕ＃２７によってボールＢを同じスイングで打球することができ、スイングの安定が図れる利点を有する。
【００６２】
[3]番手が下がるに従い、ヘッド５、７、９、１１のフェース部３３、１５、３５、３７のロール半径を大きくしているため、ロフト角が増加することによる打球時のボールＢの滑りが抑えられる。従って、本実施形態によれば、番手毎に所望のバックスピン量とすることができ、飛距離及び打出し角が安定したゴルフクラブセットとすることができる。
【００６３】
[4]番手が下がるに従い、ヘッド５、７、９、１１のヘッド幅を小さくしているため、低番手ほどヘッド５、７、９、１１の重量深さが浅くなる。従って、本実施形態によれば、スイートスポットの上昇を抑え、セット全体で打球の方向性がよくなる利点を有する。
【００６４】
[6]番手が下がるに従い、ヘッド５、７、９、１１のヘッド長さを小さくしているため、低番手側のゴルフクラブの全長が短くなっても、高番手側と同じ大きさに見えることとなる（遠近効果）。従って、本実施形態によればスイングの安定化が図れ、慣性モーメントが略同一であることと相俟ってスイングの安定が図れ、打球の方向性をよくすることができる。
【００６５】
[7]番手が下がるに従い、ヘッド５、７、９、１１のフェースプログレッションを小さくしているため、従来に比し低番手になっても、飛球方向に対してヘッド軌跡の早い段階位置でボールＢを打球し易くなり、総て番手で打球のタイミングが一致することとなる。従って、本実施形態によれば、従来に比しゴルフクラブセット全体のスイングの安定が図れ、打球の方向性がよくなる利点を有する。
【００６６】
尚、本実施形態と異なり、番手が下がるに従い、ヘッド５、７、９、１１のフェースプログレッションを大きくした場合には、トップラインのネック側の位置を番手間で近づけることができるため、番手毎のアドレスに違和感がなくなる利点を有する。
【００６７】
[8]番手が下がるに従い、ホーゼル長を長くすることで、総てのヘッド５、７、９、１１に亘って慣性モーメントの均一化が図れる。
【００６８】
[9]番手が下がるに従いフェース高さを大きくしたため、意図した打球面での打球がし易くなる。そして、前記(3)の構成と相俟って、番手毎に所望のバックスピン量とすることができ、飛距離及び打出し角が安定したゴルフクラブセットとすることができる利点を有する。
【符号の説明】
【００６９】
５、７、９、１１  ヘッド
１３  ヘッド本体
１５、３３、３５、３７  フェース部
１７  ソール部
１９  サイド部
２１  クラウン
２７  ホーゼル部
３１  シャフト
Ａ  重量深さ
Ｂ  ボール
Ｃ  ヘッド幅
Ｄ  ヘッド長さ
Ｅ  リーディングエッジ
Ｆ  ホーゼル長
Ｇ  重心
Ｈ  フェース高さ
Ｔ   トップエッジ
ＢＳ  バックスピン
ＦＰ  フェースプログレッション
ＳＰ  サイドスピン
ＳＳ  スイートスポット
Ｕ＃１８、Ｕ＃２１、Ｕ＃２４、Ｕ＃２７  ユーティリティゴルフクラブ
α  ロフト角
θ１  振れ角
【図１】
2012200324.tif 000003
【図２】
2012200324.tif 000004
【図３】
2012200324.tif 000005
【図４】
2012200324.tif 000006
【図５】
2012200324.tif 000007
【図６】
2012200324.tif 000008
【図７】
2012200324.tif 000009